(57)【要約】【課題】ユーザのボタン操作を簡単化し、ユーザインタフェースの向上を図り、また、多岐にわたるメニュー項目全てを横断的に表示でき、所望のメニュー項目を見つけ易くすること。【解決手段】キー操作部２の操作ボタンに、所定の機能の起動動作を割り当て、アシストボタン３を押しながらキー操作部２の操作ボタンを押下することでその機能を起動する。【選択図】図１
2008217557.tif 000002
【特許請求の範囲】
【請求項１】
第１の操作ボタンに、所定の機能の起動動作を割り当て、第２の操作ボタンを押しながら前記ボタンを押下することで前記機能を起動することを特徴とする携帯電話機。
【請求項２】
マトリクス表示されているメニュー項目の画面と、キー操作部の前記第１の操作ボタンとを対応付けさせておくことを特徴とする請求項１記載の携帯電話機。
【請求項３】
キー操作部の前記第１の操作ボタンに割り当てる機能は自由に構成することを特徴とする請求項１または２記載の携帯電話機。
【請求項４】
キー操作部の第１の操作ボタンを押しかえることにより、メニュー項目を横断的に移動することを特徴とする請求項１から３のいずれか１項に記載の携帯電話機。
【請求項５】
第１の操作ボタンに、所定の機能の起動動作を割り当て、第２の操作ボタンを押しながら前記ボタンを押下することで前記機能を起動することを特徴とする携帯電話機の操作方法。
【請求項６】
マトリクス表示されているメニュー項目の画面と、キー操作部の前記第１の操作ボタンとを対応付けさせておくことを特徴とする請求項５記載の携帯電話機の操作方法。
【請求項７】
キー操作部の前記第１の操作ボタンに割り当てる機能は自由に構成することを特徴とする請求項５または６記載の携帯電話機の操作方法。
【請求項８】
キー操作部の第１の操作ボタンを押しかえることにより、メニュー項目を横断的に移動させることを特徴とする請求項５から７のいずれか１項に記載の携帯電話機の操作方法。
【請求項９】
コンピュータに請求項１から４のいずれか１項に記載の機能を実現させることを特徴とするプログラム。
【発明の詳細な説明】
【技術分野】
【０００１】
本発明は、階層化されたメニュー画面が表示される携帯電話機において、ユーザのボタン操作を簡単化し、ユーザインタフェースを向上する技術に関する。
【背景技術】
【０００２】
従来の携帯電話機の操作性向上の方法としては、例として特許文献１がある。ジェスチャーボタン配置し、ジェスチャーボタンを使用するための、機能を起動することが出来るジェスチャー操作を記憶装置部に記憶させ、ジェスチャーボタンを押しながらあらかじめ記憶させたジェスチャー操作を入力してアプリケーションなどの機能を起動することにより、使用頻度の高い機能等を手間無く素早く立ち上げ、操作性を向上させている。
【０００３】
従来、携帯電話機の操作を簡単にする方法としては、例えば、特許文献２に記載されているように折り畳み式の携帯電話機において、下側筐体の正面側に操作入力を行う操作キーを設け、上側筐体の背面側にはシフトキーを設けることが記載されている。
【０００４】
また、従来の携帯電話機では一つのボタンを長押しして別の動作を行う機能やアプリケーションの起動方法を番号で呼び出せるようにしたものが広く利用されている。
【０００５】
上記の特許文献１の携帯電話機では、ユーザが日ごろ頻繁に使用する機能であれば簡単にアプリケーションや機能を起動させることが出来て便利であるが、ジェスチャー登録して定期的にジェスチャー操作を活用しないと、どのジェスチャー操作がどの機能の起動の役割をしているかユーザが分からなくなり、かえって不便である。また、ジェスチャーボタンを離したときが起動のタイミングであり、これは片手で操作することは難しく使いづらい。
【０００６】
ボタンの長押し起動やアプリケーションの起動を番号で呼び出すこともユーザが記憶に留めておける程度の機能しか活用することができない。
【０００７】
また、従来の携帯電話機では、アプリケーションを簡単に起動する方法を論じており、起動し終わった後、他の機能も利用したい場合などには論じておらず、いったん待受画面に戻るなどの操作をしないと他の機能に遷移することが出来なかった。
【０００８】
ここで、主表示部が外側を向いた状態で折り畳たまれ、主操作部の操作面が上側筐体によって覆われた閉状態とされると、制御部は、位置検出部から受け取った開閉検知信号及び回動角検知信号に基づいて、上側ユニットと下側ユニットとの間の相互的位置関係を認識し、主表示部に、ユーザによって選択された操作項目がユーザによって選択された順序で一次元的に配列された補助操作メニュー画面を表示させ、サイド上方操作キー及びサイド下方操作キーの操作によって、所望の操作項目にカーソルが合わされ、さらに、サイド決定キーが押下されると、制御部は、対応する設定メニュー画面を、主表示部に表示させることで、小型化に寄与しつつ、制約された条件下でも良好な操作性を保つことができる技術が提案されている（例えば、特許文献３参照）。
【特許文献１】特開２００６−２４４０３８号公報
【特許文献２】特開２００３−３３３１５７号公報
【特許文献３】特開２００５−２６０２８４号公報
【発明の開示】
【発明が解決しようとする課題】
【０００９】
しかしながら、従来技術では、アプリケーションの起動または各種設定画面までの遷移は、ユーザは複数回のボタン操作を行わなければならなく、不便であった。また、ボタン操作を簡単化するためにボタン長押しからのアプリケーションの起動やショートカットキー入力などが存在するが、ユーザがそのための入力方法を覚えておく必要があり、あまり使用しない機能はすぐに選択することは出来なく、利用頻度は少なかった。
【００１０】
本発明は、以上説明した問題点を解決するためになされたものである。その目的は、ユーザのボタン操作を簡単化し、ユーザインタフェースの向上を図り、また、多岐にわたるメニュー項目全てを横断的に表示でき、所望のメニュー項目を見つけ易くすることである。
【課題を解決するための手段】
【００１１】
本発明は、第１の操作ボタンに、所定の機能の起動動作を割り当て、第２の操作ボタンを押しながら前記ボタンを押下することで前記機能を起動する携帯電話機を提供する。
【００１２】
また、本発明は、第１の操作ボタンに、所定の機能の起動動作を割り当て、第２の操作ボタンを押しながら前記ボタンを押下することで前記機能を起動する携帯電話機の操作方法を提供する。
【発明の効果】
【００１３】
本発明によれば、ユーザのボタン操作を簡単化し、ユーザインタフェースの向上を図り、また、多岐にわたるメニュー項目全てを横断的に表示でき、所望のメニュー項目を見つけ易くすることができる。
【発明を実施するための最良の形態】
【００１４】
以下、本発明の第１の実施の形態について図面を参照して詳細に説明する。
【００１５】
本実施の形態の携帯電話機は、図１に示すように、文字、画像情報を映す液晶表示部１と、数字等を入力するキー操作部２と、キー操作部２と同一の面以外の箇所に配置するアシストボタン３と、上下左右のカーソルの移動を実現する十字キー４と、メニューを表示させるためのメニューボタン５と、選択した項目を決定させる決定ボタン６から主に構成される。
【００１６】
また、キー操作部２の数字「１」から「９」にそれぞれメニュー画面の配置と同様にメニュー項目を割り当てて、アシストボタンを押しながら数字「１」から「９」のボタンを入力すると割り当てたメニュー画面へ遷移することを可能とする。
【００１７】
次に、本実施の形態の携帯電話機の動作を説明する。
図２に示すように、本発明ではキー操作部２のうち数字「１」から数字「９」のボタンを押下した際に動作をする（ステップＳ２０１）。
【００１８】
まず、上記のボタンを入力した際、アシストボタン３が押されているかどうかの判断を行う（ステップＳ２０1）。
【００１９】
アシストボタン３が押されていると判断した場合、キー操作部２の数字「１」から数字「９」の各ボタンにあらかじめ対応させたメニュー詳細画面へ遷移を行う（ステップＳ２０４）。
【００２０】
アシストボタン３が押されていないと判断した場合は、従来通りの動作を行うものとする（ステップＳ２０５）。
【００２１】
上記の「キー操作部２の数字「１」から数字「９」の各ボタンにあらかじめ対応させたメニュー詳細画面への遷移」について説明する。
【００２２】
図３に示すように、代表的なメニュー画面は、メニュー項目を９つに分けたマトリクス表示を行っている。近年では、フラッシュを用いたグラフィカルなメニュー画面が登場しつつあるが、見慣れたメニュー表示といえば、誰もがマトリクス表示のメニュー画面を指すと考える。
【００２３】
ユーザインタフェースを変えずに、ユーザの操作性向上を図るために、マトリクス表示のメニュー画面とキー操作部２の数字キーの「１」から「９」を対応付けて、制御する。例としてユーザが各種設定を行いたい場合、従来の動作ではメニューボタン５を押して十字キー４で各種設定にカーソルを移動し、決定ボタン6を押して選択するという面倒な操作であるが、本発明では、「アシストボタン３を押下しながら数字キーの「４」を押す」というワンステップの動作で各種設定画面へ遷移することが可能となる。
【００２４】
各種設定画面へ遷移したあとも、着信音の設定や待ち受け画面の変更など沢山メニュー項目が存在するが、ここから先の動作は従来の操作で十分対応できる。
【００２５】
上記に挙げた着信音の設定を例にすれば、ユーザは「アシストボタン３を押下しながら数字キーの「４」を押す」→「着信音の設定の項目を画面で探し、対応する数字キーを押す」という２ステップで着信音の設定変更画面へと遷移することが可能となる。
【００２６】
更に十字キー４をいっさい使うことなく操作出来るため、片手で操作することはもちろんのこと、手の移動が少なく常にキー操作部に指を位置しておくだけで機能を選択することができる。
【００２７】
本発明では、直接的に着信音の設定画面（図４における第２階層の更に下の階層のこと）にまで遷移するわけではなく、ユーザが各種設定という一つのカテゴリの中で所望の機能を選択できるメニュー階層（図４における第２階層のこと）まで遷移することが重要である。例としてユーザが着信音の変更と、保存してある画像の閲覧と、新規メール作成の３つの動作を行いたい場合、従来の操作では一つ一つの機能が完了する度に待受画面に遷移して次の機能選択へと進む方法しかなく、横断的な操作には弱いという欠点が存在すると考える。本発明では一つの機能を完了させた後にも、すぐにアシストボタン３を押しながら数字キーを押下するだけで横断的な操作が容易に行える。
【００２８】
本発明では携帯電話機の電源が入っている状態ならどの状態でも、図４に示すような一般的な階層構造をなすメニューでは、アシストボタン３を押しながらキー操作部２の所望のボタンを押下することにより、現在実行している機能を強制終了し、メニューボタン５を押さずに図４における第１階層をスキップして第２階層へと遷移することで従来の課題を改善している。
【００２９】
本実施の形態によれば、メニュー画面と操作部を関連付けてユーザが直感的に操作できる。その理由は、メニュー画面と同様に操作部に機能を配置させるためである。
【００３０】
また、詳細なレベルのメニューの階層にショートカットできる。その理由は、アシストボタン３を配置し、そのキーをトリガーにしているためである。
【００３１】
また、各メニュー項目を横断できる。その理由は、アシストキーを押したまま操作部のボタンを押下できるためである。
【００３２】
次に、本発明の第２の実施の形態について説明する。上記の第１の実施の形態と同じ構成からなる携帯電話機であるが、キー操作部２のボタンに割り当てる機能は自由に構成することが可能である。
【００３３】
その一例として、電卓機能など一つのアプリケーションを割り当てたり、ある特定の電話番号を表示されるような機能を割り当てて、すぐに電話できるようにしたりする各種割り当てが考えられる。
【００３４】
例として、緊急時にすばやく電話するために電話番号「１１０」を表示されるように割り当てれば、アシストボタン３を押しながらそのボタンをおして電話番号「１１０」を表示させることが出来る。
【００３５】
なお、上述する実施の形態は、本発明の好適な実施の形態であり、本発明の要旨を逸脱しない範囲内において種々変更実施が可能である。例えば、ここでは折りたたみ式形態電話機を前提に説明しているが、他の形状の携帯電話機にも対応が可能である。
【００３６】
本発明によれば、キー操作部２の一つのボタンに、一つのある機能の起動動作を割り当て、アシストボタン３を押しながらそのボタンを押下することで機能をすばやく起動させるといった用途に適用できる。
【図面の簡単な説明】
【００３７】
【図１】本発明の第１の実施の形態の携帯電話機の構成を示す図である。
【図２】本発明の第１の実施の形態の動作を示す図である。
【図３】メニュー画面の一例を示す図である。
【図４】メニューの階層構造を示す図である。
【符号の説明】
【００３８】
１    液晶表示部
２    キー操作部
３    アシストボタン
４    十字キー
５    メニューボタン
６    決定ボタン
【図１】
2008217557.tif 000003
【図２】
2008217557.tif 000004
【図３】
2008217557.tif 000005
【図４】
2008217557.tif 000006